(57)【要約】【課題】逆風に強く外壁を焦がしたり変色させる心配がなく、安心して使用出来る給排気装置を提供する。【解決手段】壁２を貫通し屋外に突出した先端周壁に形成した複数の排気口７から排気ガスを排出する排気管４と、該排気管４との間に給気通路６を形成する給気管１との二重管から成るもので、前記排気管４の先端には、間隔を開けて排気口７を覆う中空筒状の暴風筒１１を備えたので、排気口７から放出される排気ガスが暴風筒１１にぶつかって、前方へ向かって放出されることとなり、排気口７の近傍に外壁があったとしても、排気方向が暴風筒１１で変えられ、建物の外壁を焦がしたり変色させる危険がなく、安心して使用出来るものであり、更に暴風筒１１によってどの方向からの逆風でも直接排気口７に作用せず、暴風筒１１で遮断されて排気はスムーズに行われるものである。【選択図】  図１
2006125788.tif 000002
【特許請求の範囲】
【請求項１】
壁を貫通し屋外に突出した先端周壁に形成した複数の排気口から排気ガスを排出する排気管と、該排気管との間に給気路を形成する給気管との二重管から成るものに於いて、前記排気管の先端には、間隔を開けて排気口を覆う中空筒状の暴風筒を備えた事を特徴とする給排気装置。
【請求項２】
前記暴風筒は、先端に向かって徐々に細くなる形状とした事を特徴とする給排気装置。
【請求項３】
前記暴風筒の後端と給気口との間には、所定間隔を設けた事を特徴とする給排気装置。
【発明の詳細な説明】
【技術分野】
【０００１】
この発明は、建物の壁に取り付けられ、室内の燃焼器具と屋外とを連通して、燃焼後の排気ガスを屋外に放出すると共に、屋外の新鮮な空気を燃焼空気として燃焼器具に供給する給排気装置に関するものである。
【背景技術】
【０００２】
従来よりこの種のものでは、壁を貫通して排気口及び給気口を屋外に突出し、燃焼後の排気ガスを屋外に排出すると共に、燃焼用の空気を屋外より給気するものであった。（例えば、特許文献１参照。）
【特許文献１】特開平５−２６４３１号公報
【発明の開示】
【発明が解決しようとする課題】
【０００３】
ところでこの従来のものでは、色々な設置場所があり、例えば排気口の近傍に建物の外壁がある場合には、排気口から放出する排気ガスによって、外壁が焦げたり変色する危険があり、又逆風対策は施されておらず、色々な方向からの逆風を受けて排気が出来なくなると言う問題点も有するものであった。
【課題を解決するための手段】
【０００４】
この発明はこの点に着目し上記欠点を解決する為、特にその構成を、壁を貫通し屋外に突出した先端周壁に形成した複数の排気口から排気ガスを排出する排気管と、該排気管との間に給気路を形成する給気管との二重管から成るものに於いて、前記排気管の先端には、間隔を開けて排気口を覆う中空筒状の暴風筒を備えたものである。
【０００５】
又請求項２では、前記暴風筒は、先端に向かって徐々に細くなる形状としたものであり、又請求項３では、前記暴風筒の後端と給気口との間には、所定間隔を設けたものである。
【発明の効果】
【０００６】
この発明によれば、排気口から放出される排気ガスが暴風筒にぶつかって、前方へ向かって放出されることとなり、排気口の近傍に外壁があったとしても、排気方向が暴風筒で変えられ、建物の外壁を焦がしたり変色させる危険がなく、安心して使用出来るものであり、更に暴風筒によってどの方向からの逆風でも直接排気口に作用せず、暴風筒で遮断されて排気はスムーズに行われるものである。
【０００７】
又暴風筒を先端に向かって徐々に細くなる形状としたことで、正面からの逆風が流入して内壁に案内されて広がり流速が遅くなって、後端の所定間隔から放出されて、排気口には作用しないものであり、更に排気ガスは逆に細くなるに従って流速を増し、逆風に負けることなく、勢い良く暴風筒から前方へ放出されるものである。
【発明を実施するための最良の形態】
【０００８】
次にこの発明の一実施形態を図１に基づいて説明する。
１は給気管で、壁２に穿った貫通穴３に基端を屋内に位置させ、且つ先端が貫通穴３より僅かに屋外へ突出させた円筒状のもので、壁２の貫通穴３に貫通して固定されている。
【０００９】
４は排気管で、基端が屋内に位置し、且つ先端部が給気管１の先端より前方へ突出し、給気管１の内側に同心状に固定保持される円筒状のもので、その内側に燃焼器具（図示せず）からの排気ガスを通す排気通路５を形成し、排気管４と給気管１との間に形成される隙間により給気通路６を形成して燃焼器具に燃焼用空気を供給している。
【００１０】
７は排気管４の先端外周に形成された複数の縦孔から成る排気口で、この排気口７の下方には傘状の仕切りフランジ８が取付けられており、該仕切りフランジ８の内方には給気管１の端部が開口して給気口９を形成し、ショートサーキットを防止するものであり、又排気口７と対向する排気管４内方には、流入してきた排気ガスを排気口７に案内する凹状の排気案内板１０が備えられている。
【００１１】
１１は排気口７外周を覆う両端開放で筒状の暴風筒で、排気口７の先端側２／３と対向し、仕切りフランジ８との間には１０ｍｍ〜２０ｍｍの所定間隔Ａが形成され、正面からの逆風時に該逆風がスムーズに抜けて風圧が上昇せず、且つ正面から排気ガスが排気される丁度良い間隔に設定しているものである。
【００１２】
１２は給気管１の先端部外周に取付けられた固定フランジで、壁２の外面に接して位置決めを行うもので、その外周で仕切りフランジ８から外れて正面からの逆風を直接受ける位置には、凹状の給気圧受け１３を設けたものである。
【００１３】
次にこの図１に示す一実施形態の作動について説明する。
燃焼器具の燃焼で発生した排気ガスは、内方の排気通路５を通り、そして先端部分で排気案内板１０に案内され複数の排気口７から放出して、暴風筒１１の先端から排気されるものであり、一方給気口９からは屋外の新鮮な空気が給気され、給気通路６を介して燃焼器具に燃焼用空気を供給するものである。
【００１４】
ここで排気口７の周囲に外壁がある場合にも、該排気口７から放出される排気ガスは暴風筒１１の内壁にぶつかり、そのまま暴風筒１１に案内されて該暴風筒１１の前面開放から前方へ排出されるので、周囲の外壁に排気ガスが直接接触することがなく、外壁が焦げたり変色する危険もないものであり、安心して使用出来るものである。
【００１５】
更に排気中に正面以外からの逆風が発生した場合には、暴風筒１１によって排気口７が保護され直接排気口７に逆風が作用することがなく、ただ所定間隔Ａから逆風が暴風筒１１内に流入するが、この風は暴風筒１１の前面開放へ向かう風となって、排気を案内する風ととなるが抑制する風とはならず、良好な排気が行われるものである。
【００１６】
又排気中に正面からの逆風が発生した場合には、逆風が暴風筒１１の正面から流入するが、この暴風筒１１他端の所定間隔Ａからスムーズに抜け、暴風筒１１内を高圧状態にすることがないので、排気ガスも抜け易いものであり、更にこの逆風を外周に張り出した給気圧受け１３も同時に受けて、逆風圧は給気口９にも同じようにして作用し、排気を抑制する排気圧と該排気を後押しする給気圧とが同圧となり、排気ファン（図示せず）の送風力で容易に排気が行われることとなるものである。
【００１７】
次に他の実施形態を図２で説明するが、図１と同様な部分については同一の符号を付し、相違点のみを説明するものである。
１４は排気口７外周を覆う両端開放で、先端に向かって徐々に細くなる形状とした筒状の暴風筒で、排気口７の先端側２／３と対向し、仕切りフランジ８との間には１０ｍｍ〜２０ｍｍの所定間隔Ａが形成され、正面からの逆風時に該逆風がスムーズに抜けて風圧が上昇せず、且つ正面から排気ガスが排気される丁度良い間隔に設定しているものである。
又給気受け１３が取り付けられていないものである。
【００１８】
この他の実施形態の作動では、正面からの逆風時が図１のものと相違するもので、正面からの逆風では、暴風筒１４の細くなった前面開放から流入した逆風が広い他端開放の所定間隔Ａから流出する時に、暴風筒１４の外壁に沿って外に広がりながら流れる風に流出が抑えられことがなく、同じ方向に流れるので更にスムーズな流が得られ、排気ガスの放出の邪魔となることがないものであり、更に排気口７からの排気ガスは、先端に近ずくに従いその流速が増加されて、排気が逆風に抑えられることなくスムーズに行われ、良好で確実な排気が常に行えるものである。
【００１９】
排気口から放出される排気ガスが暴風筒１１、１４にぶつかって、前方へ向かって放出されることとなり、排気口７の近傍に外壁があったとしても、排気方向が暴風筒１１、１４で変えられ、建物の外壁を焦がしたり変色させる危険がなく、安心して使用出来るものであり、更に暴風筒１１、１４によってどの方向からの逆風でも直接排気口７に作用せず、暴風筒１１、１４で遮断されて排気はスムーズに行われるものである。
【００２０】
又暴風筒１４を先端に向かって徐々に細くなる形状としたことで、正面からの逆風が流入して内壁に案内されて広がり流速が遅くなって、後端の所定間隔から放出されて、排気口７には作用しないものであり、更に排気ガスは逆に細くなるに従って流速を増し、逆風に負けることなく、勢い良く暴風筒１４から前方へ放出されるものである。
【図面の簡単な説明】
【００２１】
【図１】この発明の一実施形態を示す給排気装置の概略説明図。
【図２】他の実施形態を示す給排気装置の概略説明図。
【符号の説明】
【００２２】
１  給気管
２  壁
４  排気管
６  給気通路
７  排気口
１１、１４  暴風筒
【図１】
2006125788.tif 000003
【図２】
2006125788.tif 000004